(57)【要約】  リモコン４をスライドさせて収納するリモコン収納部３ｂと、リモコン収納部３ｂのリモコン収納位置で、リモコン４に形成した係合部と係合して当該リモコン４をロック（仮固定）するリモコンロック部７と、ばね１０によってリモコン４をリモコン収納部３ｂから排出する方向に付勢されるとともに、リモコン収納位置からさらに押し込まれたリモコン４が当接してスライドし、このスライド位置に応じてリモコンロック部７によるリモコン４のロックを解除する係合部９ａを有し、当該係合部９ａによってロックが解除されたリモコン４を、ばね１０からの付勢によりスライドしてリモコン収納部３ｂから押し出すスライダー９とを備える。
2013035127.tif 000002
【特許請求の範囲】
【請求項１】
リモコンをスライドさせて収納する収納部と、
前記収納部のリモコン収納位置で、前記リモコンに形成した係合部と係合して当該リモコンを仮固定するリモコンロック部と、
付勢部材によって前記リモコンを前記収納部から排出する方向に付勢されるとともに、前記リモコン収納位置からさらに押し込まれた前記リモコンが当接してスライドし、このスライド位置に応じて前記リモコンロック部による前記リモコンの仮固定を解除する係合部を有し、当該係合部によって仮固定が解除された前記リモコンを、前記付勢部材からの付勢によりスライドして前記収納部から押し出すスライド部材とを備えた移動体用電子機器。
【請求項２】
ヒンジ部の回転軸を介して開閉自在なディスプレイパネル部と、
前記ディスプレイパネル部が閉じた状態で仮固定するディスプレイロック部とを備え、
前記スライド部材は、前記リモコン収納位置からさらに押し込まれた前記リモコンが当接してスライドし、このスライド位置に応じて前記ディスプレイロック部による前記ディスプレイパネル部の仮固定を解除する係合部をさらに備えたことを特徴とする請求項１記載の移動体用電子機器。
【請求項３】
前記収納部に形成した開口部の周縁部に設けられ、前記リモコンロック部が前記リモコンを仮固定すると点灯して前記開口部から外部に露出した前記リモコンを照らし、前記リモコンロック部による前記リモコンの仮固定が解除されると消灯するリモコン照明部を備えたことを特徴とする請求項１または請求項２記載の移動体用電子機器。
【発明の詳細な説明】
【技術分野】
【０００１】
この発明は、車両などの移動体に搭載され、リモコンで操作可能な移動体用電子機器に関する。
【背景技術】
【０００２】
例えば、特許文献１には、入力操作を行うメインボタンと、操作内容を表示する表示部と、電子機器の主要な操作をまとめたサブリモコンが嵌合して装着される凹部を備えた電子機器のリモコンが開示されている。このリモコンは、別体のサブリモコンを凹部に装着することにより、当該サブリモコンを一体に搬送できる。
【先行技術文献】
【特許文献】
【０００３】
【特許文献１】特開平９−１３０８７９号公報
【発明の概要】
【発明が解決しようとする課題】
【０００４】
近年、筐体の一部にリモコンを収納する構造と、ディスプレイパネルが開閉する機構を備えた車載用の表示装置が普及している。
しかしながら、従来の表示装置では、リモコンの装置への収納（装着）と取り外しとが別々に動作する機構で行われ、またリモコンの脱着とディスプレイパネルの開閉ロックの解除も別々に動作する機構で行われていたので、これらの動作を一連の操作で行うことができなかった。例えば、ユーザが、表示装置に収納されたリモコンを取り外し、リモコンを操作して映像等の視聴を行おうとした際に、リモコンの取り外しとディスプレイパネルの開閉ロックの解除とが一連の操作で行えた方が使い勝手がよい。【０００５】
また、筐体にリモコンを収納している状態において、表示装置の周囲が暗くなるとリモコンの収納位置が見つけにくいという課題がある。この不具合を解消するため、リモコンのボタン自体を発光させることが考えられるが、個々のボタンを発光させるのでは、部品点数が増加してコスト的にも不利である。【０００６】
この発明は、上記のような課題を解決するためになされたもので、リモコンの収納と取り外しの操作性を向上させることができる移動体用電子機器を得ることを目的とする。
【課題を解決するための手段】
【０００７】
この発明に係る移動体用電子機器は、リモコンをスライドさせて収納する収納部と、収納部のリモコン収納位置で、リモコンに形成した係合部と係合して当該リモコンを仮固定するリモコンロック部と、付勢部材によってリモコンを収納部から排出する方向に付勢されるとともに、リモコン収納位置からさらに押し込まれたリモコンが当接してスライドし、このスライド位置に応じてリモコンロック部によるリモコンの仮固定を解除する係合部を有し、当該係合部によって仮固定が解除されたリモコンを、付勢部材からの付勢によりスライドして収納部から押し出すスライド部材とを備える。
【発明の効果】
【０００８】
この発明によれば、リモコンの収納と取り外しの操作性を向上させることができるという効果がある。
【図面の簡単な説明】
【０００９】
【図１】この発明の実施の形態１に係る移動体用電子機器の外観を示す斜視図である。
【図２】実施の形態１に係る移動体用電子機器のリモコン収納部およびディスプレイパネル部の開閉ロック解除ボタンの外観を示す斜視図である。
【図３】図２のＡ−Ａ線で切ったリモコン収納部およびディスプレイパネル部の開閉ロック機構の断面図である。
【図４】リモコン照明部、リモコン収納機構およびディスプレイパネル部の開閉ロック機構を示す図である。
【図５】リモコン収納前のリモコン収納機構およびディスプレイパネル部の開閉ロック機構を示す図である。
【図６】リモコン収納時のリモコン収納機構およびディスプレイパネル部の開閉ロック機構を示す図である。
【図７】リモコンを収納位置から押し込んだ場合におけるリモコン収納機構およびディスプレイパネル部の開閉ロック機構を示す図である。
【発明を実施するための形態】
【００１０】
以下、この発明をより詳細に説明するため、この発明を実施するための形態について、添付の図面に従って説明する。
実施の形態１．
図１は、この発明の実施の形態１に係る移動体用電子機器の外観を示す斜視図であり、移動体（例えば、車両）に搭載される車載用ディスプレイ装置を示している。図１に示すように、実施の形態１に係る車載用ディスプレイ装置１は、本体部３が車両室内の天井面に取り付けられ、ディスプレイパネル部２が本体部３に対して開閉自在に支持される。すなわち、ディスプレイパネル部２は、本体部３の左右に設けた一対のヒンジ部３ａに支持されており、ヒンジ部３ａの回動軸を中心に矢印ａの方向に開閉する。
【００１１】
また、車載用ディスプレイ装置１では、映像や音声の操作を行うためのリモコン４を、本体部３に設けたリモコン収納部３ｂに収納することができる。このリモコン収納部３ｂは、リモコン４をスライドさせて収納する本体部３に形成した凹部と、当該凹部に収納されたリモコン４の操作面を外部に露出させる開口部とを有し、当該開口部の周縁部には、リモコン照明部６が設けられている。リモコン照明部６は、リモコン収納部３ｂにおけるリモコン収納位置にリモコン４が収納されると発光して、開口部から外部に露出したリモコン４の表面（操作面）を照らす。また、リモコン４は、リモコン収納部３ｂに収納されても操作面が露出していることから、収納時においてもリモコン操作が可能である。
【００１２】
さらに、車載用ディスプレイ装置１では、ディスプレイパネル部２をディスプレイ画面２ａが本体部３の凹部に収まるように閉じた際に、ディスプレイパネル部２に設けた係合部２ｂと、これに対応する本体部３の凹部側に設けた係合部とが係合して開閉動作がロック（仮固定）され、ディスプレイパネル部２の閉状態が維持される。このロックは、ロック解除ボタン５を押下することで解除される。
【００１３】
図２は、実施の形態１に係る移動体用電子機器のリモコン収納部およびディスプレイパネル部の開閉ロック解除ボタンの外観を示す斜視図である。なお、図２は、図１の本体部３におけるロック解除ボタン５およびリモコン収納部３ｂの位置関係が明確になるように化粧板を取り外した状態を示している。また、図３は、図２のＡ−Ａ線で切ったリモコン収納部およびディスプレイパネル部の開閉ロック機構の断面図である。
車載用ディスプレイ装置１のリモコン収納部３ｂは、リモコン４をスライドさせて収納する構成を有しており、図２に示すように、リモコン４のスライド方向に沿った延長線上に、ロック解除ボタン５を含むディスプレイパネル部２の開閉ロック機構が配置される。
ディスプレイパネル部２は、本体部３の凹部に収まるように閉状態にすると、ディスプレイパネル部２の係合部２ｂと、これに対応する本体部３の凹部側に設けた係合部３ｃとが係合して開閉動作がロックされ、ディスプレイパネル部２の閉状態が維持される。
【００１４】
また、図３に示すように、リモコン収納部３ｂの裏面側（本体部３の天井面への取り付け面側）には、孔部３ｄが形成されており、さらに、この孔部３ｄを介してリモコン４の係合凹部４ａと係合する係合凸部７ａを端部に備えたリモコンロック部７が設けられる。リモコンロック部７は、回動軸７ｃを介して本体部３に保持されており、この回動軸７ｃを中心に回動可能である。リモコンロック部７は、回動軸７ｃに設けたばねによって係合凸部７ａが孔部３ｄの方向に付勢される。リモコン４をリモコン収納部３ｂにスライドさせて収納すると、リモコンロック部７の係合凸部７ａが、孔部３ｄを介して係合凹部４ａと係合し、この係合状態が上記ばねからの付勢により維持される。これにより、リモコン４が、リモコン収納部３ｂに収納された状態でロック（仮固定）される。
【００１５】
ロック解除ボタン５は、図３に示すように回動軸５ａを介してディスプレイパネル部２に支持されており、不図示のばねによって押下操作に抗する方向に付勢されている。
ディスプレイパネル部２の係合部２ｂと本体部３の係合部３ｃとが係合したロック状態で、ロック解除ボタン５を押下すると、ディスプレイロック部８の端部８ａがロック解除ボタン５によって押下され、係合部２ｂと係合部３ｃとの係合を解放する。これにより、ディスプレイパネル部２のロックが解除される。
【００１６】
リモコンロック部７とディスプレイロック部８との間には、図３に示すようにスライダー（スライド部材）９が配置されている。このスライダー９は、ばね（付勢部材）１０によってリモコン収納部３ｂからリモコン４を排出する方向に付勢されており、端部９ｂが貫通孔３ｅを介してリモコン収納部３ｂの内部に突出している。
リモコン収納部３ｂにおいて、リモコンロック部７によりロックされた位置（リモコン収納位置）からリモコン４をさらに押し込んで奥へスライドさせると、リモコン４の端面に当接する端部９ｂを介して押されて、スライダー９が、ディスプレイロック部８側へスライドする。このとき、リモコンロック部７の係合凸部７ｂが係合部９ａを摺動し、リモコンロック部７が、回動軸７ｃを中心に係合凸部７ａが孔部３ｄから離れる方向に回動してリモコン４のロックを解除する。
さらに、スライダー９の他端に形成した係合部９ｃに沿ってディスプレイロック部８の端部８ａが押下され、係合部２ｂと係合部３ｃの係合が解除される。これにより、ディスプレイパネル部２のロックが解かれる。
【００１７】
図４は、リモコン照明部、リモコン収納機構およびディスプレイパネル部の開閉ロック機構を示す図であり、本体部３を天井面への取り付け面側から見た構成を示している。図４において、スイッチ１１は、ＬＥＤ素子１６を点灯状態または消灯状態とするスイッチであり、スライダー９のスイッチ押し部９ｅによってオンオフされる。
ばね１２は、回動軸７ｃに設けられ、係合凸部７ｂが孔部３ｄに嵌る方向にリモコンロック部７を付勢する。スライダーロック部１３は、取り付け面に直交する回動軸を介して支持され、ばね１４によってスライダー９側に係合凸部が向かうように付勢されている。この係合凸部はスライダー９のスライド方向への動きをロックする。この動作の詳細は、図５〜７を用いて後述する。
また、本体部３において、取り付け面に平行に設けた基板１５には、リモコン照明部６の光源となるＬＥＤ（Light Emitting Diode）素子１６が実装される。ＬＥＤ素子１６から発せられた光は、導光部１７を介して本体部３の外部に出力される。
【００１８】
次に、リモコン４の収納、リモコン４とディスプレイパネル部２のロック解除、およびリモコン照明部６の点灯についての詳細を説明する。
（１）リモコン収納前
図５は、リモコン収納前のリモコン収納機構およびディスプレイパネル部の開閉ロック機構を示す図である。図５（ａ）に示すように、リモコン４がリモコン収納部３ｂに収納されていない場合、リモコンロック部７は、ばね１２によって回動軸７ｃを中心に回動して、係合凸部７ａを形成した端部が矢印ｃ１の方向に付勢され、係合凸部７ｂを形成した端部が矢印ｃ２の方向に付勢される。
【００１９】
また、スライダー９は、ばね１０によってリモコン収納部３ｂ側、すなわち矢印ｂ１の方向に付勢される。このとき、スライダー９の側面部に形成した係合凸部９ｄは、スライダーロック部１３の係合凸部１３ａに当接した位置にあり、かつ、スライダー９の係合部９ｃが、ディスプレイロック部８の端部８ａに接触しない位置にある。なお、スライダーロック部１３は、ばね１４によって、回転軸を中心にスライダー９側、すなわち矢印ｄ１の方向に付勢されている。
【００２０】
図５（ｂ）に示すように、ＬＥＤ素子１６を点灯・消灯するスイッチ１１は、スライダー９のスライド経路上に配置される。リモコン４がリモコン収納部３ｂに収納されていない場合、スライダー９は、ばね１２の付勢力によって最もリモコン収納部３ｂ側に位置している。このとき、スライダー９の側面部に形成したスイッチ押し部９ｅは、図５（ｂ）のように、スイッチ１１を押していない。従って、リモコン照明部６は消灯状態となる。
【００２１】
（２）リモコン収納時
図６は、リモコン収納時のリモコン収納機構およびディスプレイパネル部の開閉ロック機構を示す図である。リモコン４をリモコン収納部３ｂ内にスライドさせて収納していくと、リモコンロック部７の係合凸部７ａが、リモコン４の端部に乗り上げて摺動する。この状態からさらにリモコン４をスライドさせて押し込んでいくと、リモコンロック部７の係合凸部７ａが、リモコン４に形成した孔部４ａに達したところで、図３で示したように掛かり止めする。これにより、リモコン４が、リモコン収納部３ｂにおける係合凸部７ａの位置に達した位置（リモコン収納位置）でロック（仮固定）される。
【００２２】
なお、上記説明では、リモコンロック部７の係合凸部７ａが、リモコン４の孔部４ａを引っ掛けて止めることでリモコン４をロックする場合を示したが、リモコン収納部３ｂにリモコン４を仮固定でき、スライダー９のスライドで仮固定を解除できる構成であれば、上記の構成に限定されるものではない。
【００２３】
また、この間に、リモコン４の端面で端部９ｂが押されて、スライダー９が、矢印ｂ２の方向にスライドしており、図６（ａ）および図６（ｂ）に示すように、スライダー９の係合凸部９ｄがスライダーロック部１３の係合凸部１３ａを押して、スライダーロック部１３を矢印ｄ２の方向に回動させ、リモコンロック部７の係合凸部７ａが孔部４ａに嵌合した時点で、スライダー９の係合凸部９ｄが、スライダーロック部１３の係合凸部１３ａを乗り越える。このとき、係合部９ａの端部が、リモコンロック部７の係合凸部７ｂに当接した状態となり、図６（ｂ）のように、スイッチ押し部９ｅがスイッチ１０を押してオン状態とする。このように、リモコン４が、リモコン収納部３ｂに収納され、かつロックされると、ＬＥＤ素子１６が発光してリモコン照明部６が点灯する。
【００２４】
（３）リモコンおよびディスプレイパネル部のロック解除時
図７は、リモコンを収納位置から押し込んだ場合におけるリモコン収納機構およびディスプレイパネル部の開閉ロック機構を示す図である。上記の（２）で示したリモコン収納位置から、リモコン４をリモコン収納部３ｂの奥へ押し込むと、リモコン４の端面で端部９ｂがさらに押され、スライダー９が、スライダーロック部１３の係合凸部１３ｂと係合凸部９ｄとが当接する位置まで図６（ａ）で示す矢印ｂ２の方向にスライドする。このとき、係合部９ａが、図７の矢印ｅ１の方向にリモコンロック部７の係合凸部７ｂを押して、リモコンロック部７のもう一端が矢印ｅ２の方向に上がり、係合凸部７ａによるリモコン４のロックが解除される。
この後、リモコン４がリモコン収納部３ｂの奥へ押し込まれると、スライダー９の係合部９ｃに沿ってディスプレイロック部８の端部８ａが押下され、ディスプレイパネル部２の係合部２ｂと本体部３の係合部３ｃの係合が解放される。これにより、ディスプレイパネル部２のロックが解除される。
【００２５】
リモコン４のロックが解除されるまで、スライダー９の係合凸部９ｄは、リモコン４が押される力により係合凸部１３ｂを押して、スライダーロック部１３を矢印ｄ２の方向に回動させている。この状態からリモコン４のロックが解除されると、スライダー９には、ばね１０の付勢力が伝わり、さらにばね１４によってスライダーロック部１３が元の位置に戻ろうとする力（矢印ｄ１の方向に付勢する力）が、係合凸部１３ｂおよび係合凸部９ｄを介して伝わる。これにより、スライダー９が、元の位置（図５の位置）に復帰し、その際に端部９ｂを介してリモコン４をリモコン収納部３ｂから押し出す。このとき、スイッチ１１をオンしていたスイッチ押し部９ｅも元の位置に戻り、スイッチ１１がオフ状態となってリモコン照明部６が消灯する。
【００２６】
なお、上記説明では、リモコン４のロックが解除された後に、ディスプレイパネル部２の開閉ロックが解除される構成を示したが、係合凸部７ａによるリモコン４のロックが解除される前に、スライダー９の係合部９ｃが、ディスプレイロック部８の端部８ａを押下するようにスライダー９の長さを変更すれば、ディスプレイパネル部２の開閉ロックが解除された後に、リモコン４のロックが解除される構成にすることができる。
【００２７】
以上のように、この実施の形態１によれば、リモコン４をスライドさせて収納するリモコン収納部３ｂと、リモコン収納部３ｂのリモコン収納位置で、リモコン４に形成した係合部と係合して当該リモコン４をロック（仮固定）するリモコンロック部７と、ばね１０によってリモコン４をリモコン収納部３ｂから排出する方向に付勢されるとともに、リモコン収納位置からさらに押し込まれたリモコン４が当接してスライドし、このスライド位置に応じてリモコンロック部７によるリモコン４のロックを解除する係合部９ａを有し、当該係合部９ａによってロックが解除されたリモコン４を、ばね１０からの付勢によりスライドしてリモコン収納部３ｂから押し出すスライダー９とを備える。このように、リモコン収納部３ｂに収納されてロックされた状態からリモコン４をさらに押し込むことにより、リモコン４のロックが解除され、かつリモコン４がリモコン収納部３ｂから押し出されるので、リモコン４の収納と取り外しの操作性を向上させることができる。
【００２８】
また、この実施の形態１によれば、ヒンジ部３ａの回転軸を介して開閉自在なディスプレイパネル部２と、ディスプレイパネル部２が閉じた状態でロック（仮固定）するディスプレイロック部８とを備え、スライダー９が、リモコン収納位置からさらに押し込まれたリモコン４と当接してスライドし、このスライド位置に応じてディスプレイロック部８によるディスプレイパネル部２のロックを解除する係合部９ｃをさらに備える。このように構成することで、リモコン４の収納と取り外しの操作性およびディスプレイパネル部２の開閉ロックの解除の操作性を向上させることができる。
【００２９】
さらに、この実施の形態１によれば、リモコン収納部３ｂに形成した開口部の周縁部に設けられ、リモコンロック部７がリモコン４をロック（仮固定）すると点灯して開口部から外部に露出したリモコン４を照らし、リモコンロック部７によるリモコン４のロックが解除されると消灯するリモコン照明部６を備えたので、リモコン４の操作ボタンを発光させる構成に比べて部品点数を増加させることなく、リモコン収納部３ｂに収納したリモコン４を照らすことができる。
【００３０】
上記実施の形態１では、この発明に係る移動体用電子機器の概念を車載用ディスプレイ装置１に適用した場合を示したが、これに限定されるものではない。例えば、鉄道、船舶または航空機などの乗客室内のエンターティメントシステムに適用してもよい。
【００３１】
なお、本発明はその発明の範囲内において、実施の形態の任意の構成要素の変形、もしくは実施の形態の任意の構成要素の省略が可能である。
【産業上の利用可能性】
【００３２】
この発明に係る移動体用電子機器は、リモコンなどの操作装置の収納と取り外しの操作性を向上させることができるので、煩雑な操作が行えない車両室内に搭載する車載用ディスプレイ装置に好適である。
【符号の説明】
【００３３】
１  車載用ディスプレイ装置、２  ディスプレイパネル部、２ａ  ディスプレイ画面、２ｂ，３ｃ，９ａ，９ｃ  係合部、３  本体部、３ａ  ヒンジ部、３ｂ  リモコン収納部、３ｄ  孔部、３ｅ  貫通孔、４  リモコン、４ａ  係合凹部、５  ロック解除ボタン、５ａ，７ｃ  回動軸、６  リモコン照明部、７  リモコンロック部、７ａ，７ｂ，９ｄ，１３ａ，１３ｂ  係合凸部、８  ディスプレイロック部、８ａ，９ｂ  端部、９  スライダー、９ｅ  スイッチ押し部、１０，１２，１４  ばね、１１  スイッチ、１３  スライダーロック部、１５  基板、１６  ＬＥＤ素子、１７  導光部。
【図１】
2013035127.tif 000003
【図２】
2013035127.tif 000004
【図３】
2013035127.tif 000005
【図４】
2013035127.tif 000006
【図５】
2013035127.tif 000007
【図６】
2013035127.tif 000008
【図７】
2013035127.tif 000009
【手続補正書】
【提出日】平成25年7月3日(2013.7.3)
【手続補正１】
【補正対象書類名】明細書
【補正対象項目名】全文
【補正方法】変更
【補正の内容】
【発明の詳細な説明】
【技術分野】
【０００１】
この発明は、車両などの移動体に搭載され、リモコンで操作可能な移動体用電子機器に関する。
【背景技術】
【０００２】
例えば、特許文献１には、入力操作を行うメインボタンと、操作内容を表示する表示部と、電子機器の主要な操作をまとめたサブリモコンが嵌合して装着される凹部を備えた電子機器のリモコンが開示されている。このリモコンは、別体のサブリモコンを凹部に装着することにより、当該サブリモコンを一体に搬送できる。
【先行技術文献】
【特許文献】
【０００３】
【特許文献１】特開平９−１３０８７９号公報
【発明の概要】
【発明が解決しようとする課題】
【０００４】
近年、筐体の一部にリモコンを収納する構造と、ディスプレイパネルが開閉する機構を備えた車載用の表示装置が普及している。
しかしながら、従来の表示装置では、リモコンの装置への収納（装着）と取り外しとが別々に動作する機構で行われ、またリモコンの脱着とディスプレイパネルの開閉ロックの解除も別々に動作する機構で行われていたので、これらの動作を一連の操作で行うことができなかった。例えば、ユーザが、表示装置に収納されたリモコンを取り外し、リモコンを操作して映像等の視聴を行おうとした際に、リモコンの取り外しとディスプレイパネルの開閉ロックの解除とが一連の操作で行えた方が使い勝手がよい。
【０００５】
また、筐体にリモコンを収納している状態において、表示装置の周囲が暗くなるとリモコンの収納位置が見つけにくいという課題がある。この不具合を解消するため、リモコンのボタン自体を発光させることが考えられるが、個々のボタンを発光させるのでは、部品点数が増加してコスト的にも不利である。
【０００６】
この発明は、上記のような課題を解決するためになされたもので、リモコンの収納と取り外しの操作性を向上させることができる移動体用電子機器を得ることを目的とする。
【課題を解決するための手段】
【０００７】
この発明に係る移動体用電子機器は、リモコンをスライドさせて収納する収納部と、収納部のリモコン収納位置で、リモコンに形成した係合部と係合して当該リモコンを仮固定するリモコンロック部と、付勢部材によってリモコンを収納部から排出する方向に付勢されるとともに、リモコン収納位置からさらに押し込まれたリモコンが当接してスライドし、このスライド位置に応じてリモコンロック部によるリモコンの仮固定を解除する係合部を有し、当該係合部によって仮固定が解除されたリモコンを、付勢部材からの付勢によりスライドして収納部から押し出すスライド部材と、ヒンジ部の回転軸を介して開閉自在なディスプレイパネル部と、ディスプレイパネル部が閉じた状態で仮固定するディスプレイロック部とを備え、スライド部材は、リモコン収納位置からさらに押し込まれたリモコンが当接してスライドし、このスライド位置に応じてディスプレイロック部によるディスプレイパネル部の仮固定を解除する係合部をさらに備える。
【発明の効果】
【０００８】
この発明によれば、リモコンの収納と取り外しの操作性を向上させることができるという効果がある。
【図面の簡単な説明】
【０００９】
【図１】この発明の実施の形態１に係る移動体用電子機器の外観を示す斜視図である。
【図２】実施の形態１に係る移動体用電子機器のリモコン収納部およびディスプレイパネル部の開閉ロック解除ボタンの外観を示す斜視図である。
【図３】図２のＡ−Ａ線で切ったリモコン収納部およびディスプレイパネル部の開閉ロック機構の断面図である。
【図４】リモコン照明部、リモコン収納機構およびディスプレイパネル部の開閉ロック機構を示す図である。
【図５】リモコン収納前のリモコン収納機構およびディスプレイパネル部の開閉ロック機構を示す図である。
【図６】リモコン収納時のリモコン収納機構およびディスプレイパネル部の開閉ロック機構を示す図である。
【図７】リモコンを収納位置から押し込んだ場合におけるリモコン収納機構およびディスプレイパネル部の開閉ロック機構を示す図である。
【発明を実施するための形態】
【００１０】
以下、この発明をより詳細に説明するため、この発明を実施するための形態について、添付の図面に従って説明する。
実施の形態１．
図１は、この発明の実施の形態１に係る移動体用電子機器の外観を示す斜視図であり、移動体（例えば、車両）に搭載される車載用ディスプレイ装置を示している。図１に示すように、実施の形態１に係る車載用ディスプレイ装置１は、本体部３が車両室内の天井面に取り付けられ、ディスプレイパネル部２が本体部３に対して開閉自在に支持される。すなわち、ディスプレイパネル部２は、本体部３の左右に設けた一対のヒンジ部３ａに支持されており、ヒンジ部３ａの回動軸を中心に矢印ａの方向に開閉する。
【００１１】
また、車載用ディスプレイ装置１では、映像や音声の操作を行うためのリモコン４を、本体部３に設けたリモコン収納部３ｂに収納することができる。このリモコン収納部３ｂは、リモコン４をスライドさせて収納する本体部３に形成した凹部と、当該凹部に収納されたリモコン４の操作面を外部に露出させる開口部とを有し、当該開口部の周縁部には、リモコン照明部６が設けられている。リモコン照明部６は、リモコン収納部３ｂにおけるリモコン収納位置にリモコン４が収納されると発光して、開口部から外部に露出したリモコン４の表面（操作面）を照らす。また、リモコン４は、リモコン収納部３ｂに収納されても操作面が露出していることから、収納時においてもリモコン操作が可能である。
【００１２】
さらに、車載用ディスプレイ装置１では、ディスプレイパネル部２をディスプレイ画面２ａが本体部３の凹部に収まるように閉じた際に、ディスプレイパネル部２に設けた係合部２ｂと、これに対応する本体部３の凹部側に設けた係合部とが係合して開閉動作がロック（仮固定）され、ディスプレイパネル部２の閉状態が維持される。このロックは、ロック解除ボタン５を押下することで解除される。
【００１３】
図２は、実施の形態１に係る移動体用電子機器のリモコン収納部およびディスプレイパネル部の開閉ロック解除ボタンの外観を示す斜視図である。なお、図２は、図１の本体部３におけるロック解除ボタン５およびリモコン収納部３ｂの位置関係が明確になるように化粧板を取り外した状態を示している。また、図３は、図２のＡ−Ａ線で切ったリモコン収納部およびディスプレイパネル部の開閉ロック機構の断面図である。
車載用ディスプレイ装置１のリモコン収納部３ｂは、リモコン４をスライドさせて収納する構成を有しており、図２に示すように、リモコン４のスライド方向に沿った延長線上に、ロック解除ボタン５を含むディスプレイパネル部２の開閉ロック機構が配置される。
ディスプレイパネル部２は、本体部３の凹部に収まるように閉状態にすると、ディスプレイパネル部２の係合部２ｂと、これに対応する本体部３の凹部側に設けた係合部３ｃとが係合して開閉動作がロックされ、ディスプレイパネル部２の閉状態が維持される。
【００１４】
また、図３に示すように、リモコン収納部３ｂの裏面側（本体部３の天井面への取り付け面側）には、孔部３ｄが形成されており、さらに、この孔部３ｄを介してリモコン４の係合凹部４ａと係合する係合凸部７ａを端部に備えたリモコンロック部７が設けられる。リモコンロック部７は、回動軸７ｃを介して本体部３に保持されており、この回動軸７ｃを中心に回動可能である。リモコンロック部７は、回動軸７ｃに設けたばねによって係合凸部７ａが孔部３ｄの方向に付勢される。リモコン４をリモコン収納部３ｂにスライドさせて収納すると、リモコンロック部７の係合凸部７ａが、孔部３ｄを介して係合凹部４ａと係合し、この係合状態が上記ばねからの付勢により維持される。これにより、リモコン４が、リモコン収納部３ｂに収納された状態でロック（仮固定）される。
【００１５】
ロック解除ボタン５は、図３に示すように回動軸５ａを介してディスプレイパネル部２に支持されており、不図示のばねによって押下操作に抗する方向に付勢されている。
ディスプレイパネル部２の係合部２ｂと本体部３の係合部３ｃとが係合したロック状態で、ロック解除ボタン５を押下すると、ディスプレイロック部８の端部８ａがロック解除ボタン５によって押下され、係合部２ｂと係合部３ｃとの係合を解放する。これにより、ディスプレイパネル部２のロックが解除される。
【００１６】
リモコンロック部７とディスプレイロック部８との間には、図３に示すようにスライダー（スライド部材）９が配置されている。このスライダー９は、ばね（付勢部材）１０によってリモコン収納部３ｂからリモコン４を排出する方向に付勢されており、端部９ｂが貫通孔３ｅを介してリモコン収納部３ｂの内部に突出している。
リモコン収納部３ｂにおいて、リモコンロック部７によりロックされた位置（リモコン収納位置）からリモコン４をさらに押し込んで奥へスライドさせると、リモコン４の端面に当接する端部９ｂを介して押されて、スライダー９が、ディスプレイロック部８側へスライドする。このとき、リモコンロック部７の係合凸部７ｂが係合部９ａを摺動し、リモコンロック部７が、回動軸７ｃを中心に係合凸部７ａが孔部３ｄから離れる方向に回動してリモコン４のロックを解除する。
さらに、スライダー９の他端に形成した係合部９ｃに沿ってディスプレイロック部８の端部８ａが押下され、係合部２ｂと係合部３ｃの係合が解除される。これにより、ディスプレイパネル部２のロックが解かれる。
【００１７】
図４は、リモコン照明部、リモコン収納機構およびディスプレイパネル部の開閉ロック機構を示す図であり、本体部３を天井面への取り付け面側から見た構成を示している。図４において、スイッチ１１は、ＬＥＤ素子１６を点灯状態または消灯状態とするスイッチであり、スライダー９のスイッチ押し部９ｅによってオンオフされる。
ばね１２は、回動軸７ｃに設けられ、係合凸部７ｂが孔部３ｄに嵌る方向にリモコンロック部７を付勢する。スライダーロック部１３は、取り付け面に直交する回動軸を介して支持され、ばね１４によってスライダー９側に係合凸部が向かうように付勢されている。この係合凸部はスライダー９のスライド方向への動きをロックする。この動作の詳細は、図５〜７を用いて後述する。
また、本体部３において、取り付け面に平行に設けた基板１５には、リモコン照明部６の光源となるＬＥＤ（Light Emitting Diode）素子１６が実装される。ＬＥＤ素子１６から発せられた光は、導光部１７を介して本体部３の外部に出力される。
【００１８】
次に、リモコン４の収納、リモコン４とディスプレイパネル部２のロック解除、およびリモコン照明部６の点灯についての詳細を説明する。
（１）リモコン収納前
図５は、リモコン収納前のリモコン収納機構およびディスプレイパネル部の開閉ロック機構を示す図である。図５（ａ）に示すように、リモコン４がリモコン収納部３ｂに収納されていない場合、リモコンロック部７は、ばね１２によって回動軸７ｃを中心に回動して、係合凸部７ａを形成した端部が矢印ｃ１の方向に付勢され、係合凸部７ｂを形成した端部が矢印ｃ２の方向に付勢される。
【００１９】
また、スライダー９は、ばね１０によってリモコン収納部３ｂ側、すなわち矢印ｂ１の方向に付勢される。このとき、スライダー９の側面部に形成した係合凸部９ｄは、スライダーロック部１３の係合凸部１３ａに当接した位置にあり、かつ、スライダー９の係合部９ｃが、ディスプレイロック部８の端部８ａに接触しない位置にある。なお、スライダーロック部１３は、ばね１４によって、回転軸を中心にスライダー９側、すなわち矢印ｄ１の方向に付勢されている。
【００２０】
図５（ｂ）に示すように、ＬＥＤ素子１６を点灯・消灯するスイッチ１１は、スライダー９のスライド経路上に配置される。リモコン４がリモコン収納部３ｂに収納されていない場合、スライダー９は、ばね１２の付勢力によって最もリモコン収納部３ｂ側に位置している。このとき、スライダー９の側面部に形成したスイッチ押し部９ｅは、図５（ｂ）のように、スイッチ１１を押していない。従って、リモコン照明部６は消灯状態となる。
【００２１】
（２）リモコン収納時
図６は、リモコン収納時のリモコン収納機構およびディスプレイパネル部の開閉ロック機構を示す図である。リモコン４をリモコン収納部３ｂ内にスライドさせて収納していくと、リモコンロック部７の係合凸部７ａが、リモコン４の端部に乗り上げて摺動する。この状態からさらにリモコン４をスライドさせて押し込んでいくと、リモコンロック部７の係合凸部７ａが、リモコン４に形成した孔部４ａに達したところで、図３で示したように掛かり止めする。これにより、リモコン４が、リモコン収納部３ｂにおける係合凸部７ａの位置に達した位置（リモコン収納位置）でロック（仮固定）される。
【００２２】
なお、上記説明では、リモコンロック部７の係合凸部７ａが、リモコン４の孔部４ａを引っ掛けて止めることでリモコン４をロックする場合を示したが、リモコン収納部３ｂにリモコン４を仮固定でき、スライダー９のスライドで仮固定を解除できる構成であれば、上記の構成に限定されるものではない。
【００２３】
また、この間に、リモコン４の端面で端部９ｂが押されて、スライダー９が、矢印ｂ２の方向にスライドしており、図６（ａ）および図６（ｂ）に示すように、スライダー９の係合凸部９ｄがスライダーロック部１３の係合凸部１３ａを押して、スライダーロック部１３を矢印ｄ２の方向に回動させ、リモコンロック部７の係合凸部７ａが孔部４ａに嵌合した時点で、スライダー９の係合凸部９ｄが、スライダーロック部１３の係合凸部１３ａを乗り越える。このとき、係合部９ａの端部が、リモコンロック部７の係合凸部７ｂに当接した状態となり、図６（ｂ）のように、スイッチ押し部９ｅがスイッチ１０を押してオン状態とする。このように、リモコン４が、リモコン収納部３ｂに収納され、かつロックされると、ＬＥＤ素子１６が発光してリモコン照明部６が点灯する。
【００２４】
（３）リモコンおよびディスプレイパネル部のロック解除時
図７は、リモコンを収納位置から押し込んだ場合におけるリモコン収納機構およびディスプレイパネル部の開閉ロック機構を示す図である。上記の（２）で示したリモコン収納位置から、リモコン４をリモコン収納部３ｂの奥へ押し込むと、リモコン４の端面で端部９ｂがさらに押され、スライダー９が、スライダーロック部１３の係合凸部１３ｂと係合凸部９ｄとが当接する位置まで図６（ａ）で示す矢印ｂ２の方向にスライドする。このとき、係合部９ａが、図７の矢印ｅ１の方向にリモコンロック部７の係合凸部７ｂを押して、リモコンロック部７のもう一端が矢印ｅ２の方向に上がり、係合凸部７ａによるリモコン４のロックが解除される。
この後、リモコン４がリモコン収納部３ｂの奥へ押し込まれると、スライダー９の係合部９ｃに沿ってディスプレイロック部８の端部８ａが押下され、ディスプレイパネル部２の係合部２ｂと本体部３の係合部３ｃの係合が解放される。これにより、ディスプレイパネル部２のロックが解除される。
【００２５】
リモコン４のロックが解除されるまで、スライダー９の係合凸部９ｄは、リモコン４が押される力により係合凸部１３ｂを押して、スライダーロック部１３を矢印ｄ２の方向に回動させている。この状態からリモコン４のロックが解除されると、スライダー９には、ばね１０の付勢力が伝わり、さらにばね１４によってスライダーロック部１３が元の位置に戻ろうとする力（矢印ｄ１の方向に付勢する力）が、係合凸部１３ｂおよび係合凸部９ｄを介して伝わる。これにより、スライダー９が、元の位置（図５の位置）に復帰し、その際に端部９ｂを介してリモコン４をリモコン収納部３ｂから押し出す。このとき、スイッチ１１をオンしていたスイッチ押し部９ｅも元の位置に戻り、スイッチ１１がオフ状態となってリモコン照明部６が消灯する。
【００２６】
なお、上記説明では、リモコン４のロックが解除された後に、ディスプレイパネル部２の開閉ロックが解除される構成を示したが、係合凸部７ａによるリモコン４のロックが解除される前に、スライダー９の係合部９ｃが、ディスプレイロック部８の端部８ａを押下するようにスライダー９の長さを変更すれば、ディスプレイパネル部２の開閉ロックが解除された後に、リモコン４のロックが解除される構成にすることができる。
【００２７】
以上のように、この実施の形態１によれば、リモコン４をスライドさせて収納するリモコン収納部３ｂと、リモコン収納部３ｂのリモコン収納位置で、リモコン４に形成した係合部と係合して当該リモコン４をロック（仮固定）するリモコンロック部７と、ばね１０によってリモコン４をリモコン収納部３ｂから排出する方向に付勢されるとともに、リモコン収納位置からさらに押し込まれたリモコン４が当接してスライドし、このスライド位置に応じてリモコンロック部７によるリモコン４のロックを解除する係合部９ａを有し、当該係合部９ａによってロックが解除されたリモコン４を、ばね１０からの付勢によりスライドしてリモコン収納部３ｂから押し出すスライダー９とを備える。このように、リモコン収納部３ｂに収納されてロックされた状態からリモコン４をさらに押し込むことにより、リモコン４のロックが解除され、かつリモコン４がリモコン収納部３ｂから押し出されるので、リモコン４の収納と取り外しの操作性を向上させることができる。
【００２８】
また、この実施の形態１によれば、ヒンジ部３ａの回転軸を介して開閉自在なディスプレイパネル部２と、ディスプレイパネル部２が閉じた状態でロック（仮固定）するディスプレイロック部８とを備え、スライダー９が、リモコン収納位置からさらに押し込まれたリモコン４と当接してスライドし、このスライド位置に応じてディスプレイロック部８によるディスプレイパネル部２のロックを解除する係合部９ｃをさらに備える。このように構成することで、リモコン４の収納と取り外しの操作性およびディスプレイパネル部２の開閉ロックの解除の操作性を向上させることができる。
【００２９】
さらに、この実施の形態１によれば、リモコン収納部３ｂに形成した開口部の周縁部に設けられ、リモコンロック部７がリモコン４をロック（仮固定）すると点灯して開口部から外部に露出したリモコン４を照らし、リモコンロック部７によるリモコン４のロックが解除されると消灯するリモコン照明部６を備えたので、リモコン４の操作ボタンを発光させる構成に比べて部品点数を増加させることなく、リモコン収納部３ｂに収納したリモコン４を照らすことができる。
【００３０】
上記実施の形態１では、この発明に係る移動体用電子機器の概念を車載用ディスプレイ装置１に適用した場合を示したが、これに限定されるものではない。例えば、鉄道、船舶または航空機などの乗客室内のエンターティメントシステムに適用してもよい。
【００３１】
なお、本発明はその発明の範囲内において、実施の形態の任意の構成要素の変形、もしくは実施の形態の任意の構成要素の省略が可能である。
【符号の説明】
【００３２】
１  車載用ディスプレイ装置、２  ディスプレイパネル部、２ａ  ディスプレイ画面、２ｂ，３ｃ，９ａ，９ｃ  係合部、３  本体部、３ａ  ヒンジ部、３ｂ  リモコン収納部、３ｄ  孔部、３ｅ  貫通孔、４  リモコン、４ａ  係合凹部、５  ロック解除ボタン、５ａ，７ｃ  回動軸、６  リモコン照明部、７  リモコンロック部、７ａ，７ｂ，９ｄ，１３ａ，１３ｂ  係合凸部、８  ディスプレイロック部、８ａ，９ｂ  端部、９  スライダー、９ｅ  スイッチ押し部、１０，１２，１４  ばね、１１  スイッチ、１３  スライダーロック部、１５  基板、１６  ＬＥＤ素子、１７  導光部。
【手続補正２】
【補正対象書類名】特許請求の範囲
【補正対象項目名】全文
【補正方法】変更
【補正の内容】
【特許請求の範囲】
【請求項１】
リモコンをスライドさせて収納する収納部と、
前記収納部のリモコン収納位置で、前記リモコンに形成した係合部と係合して当該リモコンを仮固定するリモコンロック部と、
付勢部材によって前記リモコンを前記収納部から排出する方向に付勢されるとともに、前記リモコン収納位置からさらに押し込まれた前記リモコンが当接してスライドし、このスライド位置に応じて前記リモコンロック部による前記リモコンの仮固定を解除する係合部を有し、当該係合部によって仮固定が解除された前記リモコンを、前記付勢部材からの付勢によりスライドして前記収納部から押し出すスライド部材と、
ヒンジ部の回転軸を介して開閉自在なディスプレイパネル部と、
前記ディスプレイパネル部が閉じた状態で仮固定するディスプレイロック部とを備え、
前記スライド部材は、前記リモコン収納位置からさらに押し込まれた前記リモコンが当接してスライドし、このスライド位置に応じて前記ディスプレイロック部による前記ディスプレイパネル部の仮固定を解除する係合部をさらに備えた
ことを特徴とする移動体用電子機器。
【請求項２】
前記収納部に形成した開口部の周縁部に設けられ、前記リモコンロック部が前記リモコンを仮固定すると点灯して前記開口部から外部に露出した前記リモコンを照らし、前記リモコンロック部による前記リモコンの仮固定が解除されると消灯するリモコン照明部を備えたことを特徴とする請求項１記載の移動体用電子機器。
【国際調査報告】
2013035127.tif 000010
2013035127.tif 000011
2013035127.tif 000012
2013035127.tif 000013